(57)【要約】【課題】外気温に応じて商品を最適な保存温度で冷却できるようにする。【解決手段】ショーケース本体４０内に設けられた商品室への冷却量を制御して、当該商品室に陳列されている商品の冷却展示を行う。その際に、外気温を検出する外気温検出器４７と、商品室の保存温度を、外気温に応じて制御する制御部４６とを設ける。そして、外気温に応じて商品を最適な保存温度で冷却できるように温度制御する。【選択図】      図２
2004301395.tif 000002
【特許請求の範囲】
【請求項１】
ショーケース本体内に設けられた商品室への冷却量を制御して、当該商品室に陳列されている商品の冷却展示を行うショーケースにおいて、
外気温を検出する外気温検出器と、
前記商品室の保存温度を、前記外気温に応じて制御する制御部とを備えることを特徴とするショーケース。
【請求項２】
予めショーケースの用途毎に、外気温に応じて、商品の保存温度が前記制御部に記憶され、当該ショーケースの用途を指定すると、そのときの外気温に応じた保存温度で商品室を冷却することを特徴とする請求項１記載のショーケース。
【請求項３】
ショーケースの用途毎に、外気温に応じた商品の保存温度が、テーブル化して前記制御部に記憶されていることを特徴とする請求項２記載のショーケース。
【発明の詳細な説明】
【０００１】
【発明の属する技術分野】
本発明は、商品の保存温度を外気温に応じて調整するようにしたショーケースに関する。
【０００２】
【従来の技術】
今日、コンビニエンスストアー等においてショーケースを利用して商品の冷却販売が一般的に行なわれている（特許文献１参照）。
【０００３】
このようなショーケースは、商品が陳列される商品室を備え、当該商品室を冷却することにより、お弁当、ドリンク、アイスクリーム等の商品を冷却して販売するようになっている。
【０００４】
【特許文献１】
特開２００１−２８０７８２号公報
【０００５】
【発明が解決しようとする課題】
しかしながら、従来のショーケースおいては、商品の保存温度は四季を通じて一定の温度で販売されるため、外気温が変動した場合には最適な温度でない場合があった。
【０００６】
例えば、商品としてジュースを考えると、ジュースの保存温度は四季を通じて約１０℃に設定されている。このため、冬季のように寒い日は冷たすぎると感じ、夏季のように暑い日は温いと感じることがあり、常に最適な温度でない場合があった。
【０００７】
そこで、本発明は、外気温に応じて商品を最適な保存温度で冷却できるようにしたショーケースを提供することを目的とする。
【０００８】
【課題を解決するための手段】
上記課題を解決するため、請求項１にかかる発明は、ショーケース本体内に設けられた商品室への冷却量を制御して、当該商品室に陳列されている商品の冷却展示を行うショーケースにおいて、外気温を検出する外気温検出器と、商品室の保存温度を、外気温に応じて制御する制御部とを備えて、外気温に応じて商品を最適な保存温度で冷却できるようにしたことを特徴とする。
【０００９】
請求項２にかかる発明は、予めショーケースの用途毎に、外気温に応じて、商品の保存温度が制御部に記憶され、当該ショーケースの用途を指定すると、そのときの外気温に応じた保存温度で商品室を冷却することを特徴とする。
【００１０】
請求項３にかかる発明は、ショーケースの用途毎に、外気温に応じた商品の保存温度が、テーブル化して制御部に記憶されていることを特徴とする。
【００１１】
【発明の実施の形態】
本発明の実施の形態を図を参照して説明する。なお、以下の説明においては、オープン型のショーケース（商品を出し入れする扉が付いていないもの）について説明するが、本発明は、これに限定されるものではなく、扉の付いたものにも適用できる。
【００１２】
図１は本発明にかかるショーケースに用いられる冷凍回路の概略構成を示す図で、当該冷凍回路１は圧縮機４や凝縮器５等を備えて室外等に配設される室外ユニット２と、膨張弁６や蒸発器７等を備えて店舗内等に配設される室内ユニット３とを主要構成として、商品等は室内ユニット３に設けられたショーケース本体に収納されるようになっている。
【００１３】
図２は、店舗内に設置されたショーケース本体４０の温度制御を行う際の概略構成を示す図であり図３は当該ショーケースの概略構成を示す図である。
【００１４】
当該ショーケース本体４０は、複数の陳列棚４１が設けられた商品室４２、該商品室４２を取囲むように形成された冷却用ダクト４３、冷却用ダクト４３に設けられた蒸発器７、冷却用ダクト４３に設けられて商品室４２に空気を循環させる循環用送風機４５、商品室の温度を制御する制御部４６、外気温を検出する外気温検出器４７等を備えている。
【００１５】
この制御部４６には、図４に示すように、ショーケースの用途毎に外気温に対応した温度（保存温度）がテーブル化して記憶されている。
【００１６】
そして、商品室４２の天井には、冷気吹出口４６が設けられ、また商品室４２の下端前面側には冷気吸込口４８が設けられている。
【００１７】
一方、室外ユニット２における圧縮機４で圧縮された冷媒は、凝縮器５で凝縮して液化する。液化された冷媒は、冷媒配管により室内ユニット３に送られ、膨張弁６で膨張されて蒸発器７で蒸発することにより冷熱を発生する。その後冷媒は冷媒配管により室外ユニット２に戻り圧縮機４で圧縮される。
【００１８】
図５は室外ユニット２の回路図で、当該室外ユニット２は、ストレーナ１１、アキュムレータ１２、圧縮機４、オイルセパレータ１３、凝縮器５、レシーバタンク１４、フィルタドライヤ１５等を備えて、冷媒はこの順序に循環する。
【００１９】
また、室外ユニット２は、冷媒注入装置２０を備えて、レシーバタンク１４に貯留されている液化冷媒の一部を圧縮機４に注入できるようになっている。
【００２０】
ストレーナ１１は、室内ユニット３から室外ユニット２に戻った冷媒に含まれる不純物（摩耗粉等のゴミ）を除去するものである。アキュムレータ１２は、ストレーナ１１からの冷媒を気液分離して、圧縮機４で液圧縮が起きないように、気体の冷媒のみを当該圧縮機４に供給できるようにするものである。
【００２１】
圧縮機４は、図示しない圧縮室やモータを備えて、当該モータの動力により圧縮室の空間容積を拡大してアキュムレータ１２から供給される気体の冷媒を吸気し、その後当該圧縮室の空間容積を縮小して冷媒を圧縮するものである。
【００２２】
この圧縮機４には、ケース内の圧力を検出する高圧センサ２１、低圧センサ２２及び高圧圧力計２３が設けられると共に、高圧センサ２１や低圧センサ２２に制御回路２４が接続されている。
【００２３】
そして、制御回路２４は低圧センサ２２からの信号に基づき当該圧縮機４の運転停止の制御を行い、また高圧センサ２１からの信号が所定レベルを超えたときに圧縮機４を強制停止させて予め設定された異常圧力以上にならないようにしている。このときの圧力は、高圧圧力計２３により視認可能になっている。
【００２４】
オイルセパレータ１３は、圧縮機４内における各種の摺動部（例えば、モータの回転軸や圧縮室を形成する複数の部材間の当接部）を潤滑した潤滑油のうち冷媒と共に吐出された潤滑油を分離するもので、分離された潤滑油は潤滑油戻管２５を介して圧縮機４に戻るようになっている。
【００２５】
凝縮器５は、圧縮されて高温高圧になった冷媒と外気とを熱交換させて、当該冷媒を凝縮させるもので、外気は送風機２６により送風されている。
【００２６】
レシーバタンク１４は、凝縮器５で液化した冷媒を貯留するもので、室内ユニット３側での熱負荷の変動に対して過不足無く冷媒が供給できるようにしている。
【００２７】
このレシーバタンク１４には、可溶栓２７が設けられて、例えば室外ユニット２を収納する家屋が火災を起したような場合に、その熱で冷凍回路１中の冷媒が加熱されて破裂しないように、所定の温度（可溶栓２７の融点）になると溶融して冷凍回路１内の冷媒を大気に放出することで破裂を防止している。
【００２８】
フィルタドライヤ１５は、冷媒に水分が含まれていると室内ユニット３における蒸発器７で蒸発した際に、この水分が凍り、冷媒回路を詰らせたりしないように、当該水分を除去するものあり、モイスチャーインジケータ２８は循環する冷媒を視認するため等に用いられるものである。
【００２９】
また、冷媒注入装置２０は、抽出管２９、ストレーナ３０、サーモバルブ３１、キャピラリーチューブ３２、感温筒３４、注入制御弁３７等を有して、先に述べたようにレシーバタンク１４に貯留されている液化冷媒の一部を圧縮機４に注入している。
【００３０】
抽出管２９は、レシーバタンク１４に接続されて、当該レシーバタンク１４に貯留されている液化した冷媒を抽出するものであり、ストレーナ３０は抽出した冷媒に含まれるゴミを除去するものである。
【００３１】
感温筒３４は、圧縮機４の吐出管３８に密着して取付けられて、吐出冷媒の温度により体積膨張することにより温度を検出するものであり、サーモバルブ３１は感温筒３４の温度検出結果により弁の開度が制御されて圧縮機４に注入する冷媒量を制御するためのものである。
【００３２】
キャピラリーチューブ３２は、圧縮機４の起動時等におけるように感温筒３４によるサーモバルブ３１の制御の遅れを補う目的で、サーモバルブ３１に並列に接続されたものである。
【００３３】
このような構成で、ショーケースの用途を指定すると、制御部４６は、外気温検出器４７で検出された外気温と指定されたショーケースの用途から、図４に示すテーブルに基づき保存温度を設定する。
【００３４】
例えば、ショーケースの用途がジュースの場合に、外気温が１０℃未満のときは保存温度を１５℃とし、外気温が１０℃〜２０℃のときは保存温度を１２℃とし、外気温が２０℃〜３０℃のときは保存温度を９℃とし、外気温が３０℃以上のときは保存温度を６℃と設定する。
【００３５】
なお、保存する商品がアイスクリームやお弁当のように、四季を通じて変える必要がない商品の場合には、保存温度は外気温度により変化させないようにする。
【００３６】
また、店舗内に複数のショーケースが設置されている場合には、そのショーケースの用途に応じて各ショーケース毎に温度制御する。
【００３７】
このように、外気温に応じて温度制御するため、冷たすぎたり温かすぎたりすることが少なくなり、利便性を向上させることが可能になる。
【００３８】
【発明の効果】
以上説明したように、本発明によれば、外気温を検出する外気温検出器と、商品室の保存温度を、外気温に応じて制御する制御部とを備えたので、外気温に応じて商品を最適な保存温度で冷却できるようになり利便性が向上する。
【図面の簡単な説明】
【図１】本発明の実施の形態の説明に適用される冷凍装置の概略構成図である。
【図２】店舗内に設置されたショーケース本体の温度制御を行う際の概略構成を示す図である。
【図３】ショーケースの概略構成を示す図である。
【図４】ショーケースの用途毎に外気温に対応して商品を保存する際の保存温度を例示する図である。
【図５】室外ユニットの詳細構成を示す図である。
【符号の説明】
１  冷凍回路
３  室内ユニット
７  蒸発器
４０  ショーケース本体
４２  商品室
４６  制御部
４７  外気温検出器
【図１】
2004301395.tif 000003
【図２】
2004301395.tif 000004
【図３】
2004301395.tif 000005
【図４】
2004301395.tif 000006
【図５】
2004301395.tif 000007